(57)【要約】【課題】夏から秋にかけて、日本海に大量発生を行い海流に乗って海域を埋め尽くし、北上する越前クラゲを捕獲処理回収駆除が効率よく行えて、大きな効果が出るクラゲ捕獲処理回収システムの提供を行う。【解決手段】複数船舶曳航とする事で、曳航力の倍増を計りその曳航力を利用して、本体フレームの前後または、前面及び後面に縦横にワイヤーを張り切断処理を行うワイヤーカット処理システムおよび、海中に物を沈めて曳航を行えばその物には曳航水圧がかかるが、その水圧を利用して水車を回転させてその軸上にあるカッターを回転させる事で、捕獲されたクラゲの切断処理を行うクラゲカッター捕獲処理システムの実現。【選択図】図１０
2009225664.tif 000002
【特許請求の範囲】
【請求項１】
複数船舶曳航でより多くのクラゲを捕獲処理する為のガイド網は、横に幅広く海水面下に浮遊しているクラゲを捕獲する為に、ガイド網上部にガイド網用ブイを取付けその下方にガイド網用オモリを付けてガイド網の開口部をより広く深く広げる事が可能な構造であり、また捕獲基準を任意の水深に設定する為に、ガイド網用ブイとガイド網の間に任意水深の長さのワイヤーまたはロープを接続する事で任意水深設定を可能としたガイド網と、処理機においては処理機本体を海底まで沈ませて損傷させない為と、処理機の自重による曳航船に対しての曳航負荷の軽減を計る為に、ワイヤーまたはロープにてブイを取付け浮かせ、任意水深の長さのワイヤーまたはロープを接続する事で、任意水深設定を可能とした処理機であって、クラゲの処理方法として曳航船の曳航力にて捕獲されたクラゲを引き切り切断死滅処理させる為に、処理機本体の前後および前方または後方に縦横および縦または横に、針金またはワイヤー等を張ったワイヤーカット処理機と、水中および海中に物を沈め曳航を行えば物には曳航水圧がかかるが、その曳航水圧を回転運動に変換する為に、板状等の羽根またはお椀の形をした羽根を持つ水車の導水口にてそれを集めて強制通過させる事で、水車を回転させ水車の軸上に設けられたカッター刃を回転させる事で、クラゲを切断死滅処理させるクラゲカッター処理機と回収目的の為の回収網を有し、また船団を組み大規模的に行うクラゲ捕獲処理作業にて、捕獲処理と回収の分担作業を行う時に使用するガイド網の後方に、回収網が接続されて未処理クラゲや処理クラゲを回収する水深設定型ガイド回収網、これと同様な構造を有する水深設定型回収網を含み、必要に応じてそれぞれが接続される複数船舶曳航型クラゲ捕獲処理システム。
【発明の詳細な説明】
【技術分野】
【０００１】
本発明は、複数船舶曳航型クラゲ捕獲処理システムに関する。
【背景技術】
【０００２】
日本海域に夏から秋にかけて、大量発生を行い海流と共に北上しその海域にいる魚を餌とし、２メートル程度までに成長する越前クラゲ等に対して従来までは１隻の漁船にて小さな網の中に針金等を張り、トローリング作業等にて切断捕獲回収していたが、そのクラゲが浮遊する海域も広範囲に及びなすすべが無い状態である。
【０００３】
ましてクラゲ捕獲処理にも今の技術では太刀打ち出来ず、多大な時間と労力が必要であり、効果が期待出来なくクラゲが早く流れ去る事を願うのが現状であり、また魚はクラゲのエサとなる為に必然的に魚の漁獲量も減りクラゲに刺された魚は安くしても売れなくて漁獲量は上がっても漁獲金額は下がるという悪条件が続き、この時期は漁をしても越前クラゲばかり取れる漁で、この時期の漁師さん達の生活は苦難の時期でもあり、それでも漁を行なわければ生活がなりたたなくなり、死活問題化するのが現状でもある。
【発明の開示】
【発明が解決しようとする課題】
【０００４】
越前クラゲ等のクラゲの多くは、海面から水深深い海中の広範囲の海域を埋め尽くすクラゲをより多くの幅広い範囲で捕獲処理回収駆除を行う為に、複数船舶曳航方法で海面から一定の深さと任意の水深から一定の深さまでの水深設定ができて、クラゲの捕獲処理回収が可能である。
【０００５】
この方法で船団を組み、大規模的に捕獲処理回収が行える方法やまたはクラゲの捕獲処理、および回収の分担作業が行えて処理されたクラゲの回収曳航をしなくてすむ捕獲処理には、小型および中型船舶を使用しクラゲ回収量も相当量となるので、回収曳航船には中型および大型船舶を使用するという方法や色々な方法で、捕獲処理が行えてまた、海上作業という悪条件にも関わらず、広範囲の海域におけるクラゲ捕獲処理が行なえ、大きな捕獲処理効果を出すクラゲ捕獲処理回収システムである。
【課題を解決するための手段】
【０００６】
複数船舶曳航でより多くのクラゲを捕獲処理する為のガイド網は、横に幅広く海水面下に浮遊しているクラゲを捕獲する為に、ガイド網上部にガイド網用ブイを取付け、その下方にガイド網用オモリを付けてガイド網の開口部をより広く深く広げる事が可能な構造である。
【０００７】
また、捕獲基準を任意の水深に設定する為に、ガイド網用ブイとガイド網の間に任意水深の長さのワイヤーまたはロープを接続する事で、任意水深設定を可能としたガイド網と処理機においては、処理機本体を海底まで沈ませて損傷させない為と、処理機の自重による曳航船に対しての曳航負荷の軽減を計る為に、ワイヤーまたはロープにてブイを取付け浮かせ、任意水深の長さのワイヤーまたはロープを接続する事で任意水深設定を可能とした処理機である。
【０００８】
クラゲの処理方法としては、曳航船の持つ曳航力にて捕獲されたクラゲを引き切り切断死滅処理させる為に、処理機本体の前後および前方または後方、縦横および縦または横にワイヤー等を張ったワイヤーカット処理機と水中および海中に物を沈め曳航を行えば、物には曳航水圧がかかるが、その曳航水圧を回転運動の動力源に変換する為に、水車を使用するが水車には板状等の羽根またはお椀の形をした羽根のバケット水車がある。
【０００９】
曳航水圧を逃がさす高トルクを発生させるバケット水車の導水口にてそれを集めて強制通過させる事で、水車を回転させる構造であり、水車の軸上に設けられたカッター刃を回転させる事で、クラゲを切断死滅処理させるクラゲカッター処理機と回収目的の為の回収網を有し、また船団を組み大規模的に行うクラゲ捕獲処理作業にて、捕獲処理と回収の分担作業を行う時に使用するガイド網の後方に、回収網が接続されて未処理クラゲや処理クラゲを回収する水深設定型ガイド回収網、これと同様な構造を有する水深設定型回収網を含み、必要に応じてそれぞれが接続される複数船舶曳航型クラゲ捕獲処理システムである。
【発明の効果】
【００１０】
沖合に出る現在のほとんどの船舶にはＧＰＳ（位置確認システム）が装備されていて、人工衛星によるクラゲ情報の提供をうけ、それに基づいて小型船舶から大型船舶にて船団を組み、クラゲの捕獲処理と回収作業を分担した方法や、さまざまな方法で無駄なく効率よくクラゲ捕獲処理回収駆除が行えて、健全な海域を取り戻す事が出来て、魚の漁獲量の増加が期待出来る。
【発明を実施するための最良の形態】
【００１１】
以下に本発明の実施の形態を図１〜図３３に基づいて説明する。
【００１２】
図１はバケット水車組立図であり、バケット１とバケットホルダー２と水車アーム３、およびバケット水車５から回転運動を取り出す為の水車ボス４であり、それらを組立てたのがバケット水車５である。
【００１３】
図２はバケット水車ユニット１１の半分のケーシングＡ７とバケット水車ユニット１１のバケット水車ユニット取付穴６である。
【００１４】
図３は、バケット水車ユニット１１の半分のケーシングＢ８と、バケット水車ユニット１１のバケット水車ユニット取付穴６である。
【００１５】
図４は、バケット水車ユニット１１の上面図であり、バケット水車５の両側にある水車ボス４に、水車軸受１１を取付けた状態でケーシングＡ７と、ケーシングＢ８にて抱合せて組立てられた物であり、ケーシングＡ７とケーシングＢ８を抱合せて組立てられる事により、導水口９および排水口１０が構成される構造であり、導水量が少ない場合は大きな導水口を外部に設ければ良い。
【００１６】
このバケット水車ユニット１１の流水は、導水口９を通って排水口１０にて排水されるが、この図面にて判断される様にケーシングＡ７、およびケーシングＢ８にて構成されるケーシング部と、バケット水車５のバケット１部分の隙間が小さく、板羽根等の水車に比べて流水をムラなく確実に捕らえる事が出来る為に、流水エネルギーを回転エネルギーとして高効率および、高トルクにてエネルギー変換が出来て負荷の駆動が可能である。
【００１７】
図５は、バケット水車ユニット１１の正面図であり、ユニット自体の幅も薄く構造も簡単であって、水車ボス４を左右に出す事により左右共通ユニットとなる。
【００１８】
図６は、カッター式クラゲ処理機本体２８の上面図であり、カッター式クラゲ処理機フレーム１５の後部両側に各１台のバケット水車ユニット１１を有し、それに連結された横軸シャフト１７に横カッター取付フランジ１８を取付け、それに取付けられた横軸カッター１９とカッター式クラゲ処理機フレーム１５の前方上部に４台のバケット水車ユニット１１に連結された縦軸シャフト４２に縦カッター取付フランジ２９を取付け、それに取付けられた縦軸カッター２１にて構成され、またカッター式クラゲ処理機フレーム１５の後部両横に取付けられたバケット水車ユニット１１を保護する為に、サイドカバー１６が取付けられていているが、この図面においてはカッター式金網天板４３およびカッター式金網側板４４とカッター式金網底板４５を取外した状態である。
【００１９】
そしてカッター式クラゲ処理機フレーム１５の後部に、後続曳航用金具２４と後続ガイド網用金具２５が取付けられていて、上部には本体吊り上げ用金具２６とブイ取付金具２７があり、前面には曳航用金具２２とガイド網用金具２３が取付けられ、捕獲されたクラゲを横軸カッター１９と縦軸カッター２１で縦横に切断処理を行い、カッター式クラゲ処理機フレーム１５の後部へ流す構造である。
【００２０】
図７は、カッター式クラゲ処理機本体２８の正面図であり、縦軸カッター２１用バケット水車ユニット１１は、カッター式クラゲ処理機フレーム１５の中に取付けられていて、縦軸カッター２１を駆動させるゴミフィルターは付けてはいないが、必要であれば縦軸用水車に対してはゴミが上部に流れる構造でゴミフィルターを設ければ良い。また、横軸用水車に対しては外方向にゴミが流れる構造のゴミフィルターを設ければ良い。この図面においてはカッター式金網天金網板４３およびカッター式金網側板４４とカッター式金網底板４５を取外した状態である。
【００２１】
図８は、カッター式クラゲ処理機本体２８のブイ３２取付け正面図であり、カッター式クラゲ処理機本体２８のカッター式クラゲ処理機フレーム１５上部に取付けられているブイ取付金具２７にブイ取付ワイヤーまたは、ロープ３３にて接続されたブイ３２を接続する事により、カッター式クラゲ処理機本体２８は海底まで沈む事なく水深設定が可能で、またこれを曳航する曳航船３６に対してカッター処理機本体の自重による曳航負荷を軽減させてクラゲ処理能力を大きくした構造である。この図面においてはカッター式金網天板４３およびカッター式金網側板４４とカッター式金網底板４５を取外した状態である。
【００２２】
図９は、クラゲカッター捕獲処理システム７７であり、前面に曳航用ワイヤーまたはロープ３４と上下左右にガイド網３５を張った状態にて、２隻の曳航船３６にてクラゲの掃海作業を行い、捕獲切断死滅処理を行い、捕獲処理作業と回収作業を分担して行う時に使用するシステムであり、またクラゲをその海域に廃棄して他の魚等の餌とする方法であり、捕獲処理されたクラゲを曳航する負荷がないので、曳航船の速度も上げる事が可能であり、曳航船３６の航行速度が速ければ速い程バケット水車ユニット１１の導水口９を通る水流も必然的に速くなり、バケット水車ユニット１１内のバケット水車５の回転も速くなる為に、クラゲ掃海作業の処理能力も必然的に比例増大する特徴を有するシステムである。
【００２３】
図１０は、クラゲカッター捕獲処理回収システム７８であり、カッター式クラゲ処理機本体２８後部に回収網３７を取付け、２隻の曳航船３６にてクラゲの掃海作業を行い、捕獲切断死滅処理が行われたクラゲにて海洋汚染をしない為と、海洋資源としてクラゲの持つゼラチン質等を食品や化粧品等の天然資源物として、回収網３７にて回収を行う構造のカッター式一段処理回収型クラゲ処理システムである。
【００２４】
図１１は、分担作業にて使用される捕獲処理システムであり、クラゲカッター捕獲処理システム７７との違いはクラゲを更に小さく切断を行う為に、カッター式クラゲ処理機本体２８の後部にカッター式クラゲ処理機本体２８と同様の後続カッター式クラゲ処理機本体３８を取付け、前面に後続ガイド網４０と後続曳航用ワイヤーまたはロープ４１の接続を行い、２隻の曳航船３６にてクラゲの掃海作業を行い、後続カッター式クラゲ処理機本体３８を接続して切断死滅処理が行われたクラゲを更に小さく切断を行い、また捕獲処理されたクラゲをその海域に廃棄して魚等の餌とするシステムである。
【００２５】
図１２は、クラゲカッター捕獲二段処理回収システム８０であり、クラゲカッター捕獲処理回収システム７８との違いはクラゲをさらに小さく切断を行う為に、カッター式クラゲ処理機本体２８後部に同様の構造にて構成された後続カッター式クラゲ処理機本体３８の後部に回収網３７の接続を行い、切断死滅処理が行われたクラゲを後継の後続クラゲ処理機本体３８にて更に小さく切断を行い、捕獲処理されたクラゲによる海洋汚染をしない為と海洋資源としてクラゲの持つゼラチン質等を食品や化粧品等の天然資源物として回収するシステムである。
【００２６】
図１３は、ワイヤープーリー４９の正面図であり、中心部にワイヤープーリー取付穴５０が設けられている。
【００２７】
図１４は、ワイヤープーリー４９の右側面図であり、中心部にワイヤープーリー取付穴５０が設けられていて、プーリー溝はワイヤープーリー取付穴５０に対して、直角に加工されている。
【００２８】
図１５は、ワイヤー引張りボルト５１の正面図であり、頭の部分に引張りボルトワイヤー通し穴５２があり、その後部にワイヤー５７を引張る為のワイヤー引張りボルトネジ部５３がある。
【００２９】
図１６は、ワイヤー引張りボルト５１の右側面図であり、四角い頭の部分に引張りボルトワイヤー通し穴５２があり、その後部にワイヤー５７を引張る為のワイヤー引張りボルトネジ部５３がある。
【００３０】
図１７は、始点ワイヤー取付図であり、ワイヤー５７をワイヤー５７の接続具であるオーバルスリーブ５６に通し、そしてワイヤーカッター式本体フレーム６３にある始点ブロック５４にワイヤー５７とワイヤー接続金具オーバルスリーブ５６に通し、そして圧接接続処理を行ったものである。
【００３１】
図１８は、終点ワイヤー取付図であり、ワイヤー５７をワイヤー５７の接続具であるワイヤー接続金具オーバルスリーブ５６に通し、そしてワイヤー引張りボルト５１の引張りボルトワイヤー通し穴５２とワイヤー接続金具オーバルスリーブ５６に通し、そして圧接接続処理を行いワイヤー引張りボルト５１を、ワイヤーカッター式本体フレーム６３にある終点ブロック５８に通し、そして平ワッシャー５９およびスプリングワッシャー６０を挿入後にナット６１にて一本のワイヤー５７を張る構造である。
【００３２】
図１９は、ワイヤー式クラゲ処理機上面図であり、ワイヤーカッター式本体フレーム６３の後部にワイヤー式一段処理回収型クラゲ処理機やワイヤー式二段処理海洋廃棄型クラゲ処理機、およびワイヤー式二段処理回収型クラゲ処理機として使用する為に、後続曳航用金具２４と後続ガイド網用金具２５が取付けられていて、上部には本体吊り上げ用金具２６とブイ取付金具２７があり、前面には曳航用金具２２とガイド網用金具２３が取付けられ、ワイヤーカッター式本体フレーム６３の後部へ流す構造である。
【００３３】
図２０は、ワイヤー式クラゲ処理機正面図であり、ワイヤーカッター式本体フレーム６３の前面四方に曳航用金具２２とその間にガイド網用金具２３が設けられていて、その内側に任意の数のワイヤープーリー４９を取付けて、始点ブロックワイヤー通し穴５５にワイヤー５７を通して圧接接続処理を行う。
【００３４】
そして片方のワイヤー５７を縦や横のそれぞれのワイヤープーリー４９に架けて、ワイヤー引張りボルト５１の引張りボルトワイヤー通し穴５２に通して、オーバルスリーブ５６にて圧接接続処理を行い、ワイヤー引張りボルト５１をワイヤーカッター式本体フレーム６３にある終点ブロック５８に通し、そして平ワッシャー５９およびスプリングワッシャー６０を挿入後にナット６１にて縦横に張巡らされた一本のワイヤー５７の張力を均等に張る構造である。
【００３５】
図２１は、ワイヤー式水深設定ブイ取付け正面図であり、図８のカッター式水深設定ブイ取付けとの違いはカッター式クラゲ処理機本体２８がワイヤー式クラゲ処理機本体６２に変わっただけであるので説明は省略する。
【００３６】
図２２は、ワイヤーカッター捕獲処理システム８１であり、図９のカッター式一段処理海洋廃棄型クラゲ処理機と同様の構造であり、低コスト化の為にカッター式に比べて少し処理能力が劣るが、相違点はカッター式クラゲ処理機本体２８がワイヤー式クラゲ処理機本体６２に変わっただけであるので説明は省略する。
【００３７】
図２３は、ワイヤーカッター捕獲処理回収システム８２であり、図１０のカッター式一段処理回収型クラゲ処理機と同様の構造であり、低コスト化の為にカッター式に比べて少し処理能力が劣るが、相違点はカッター式クラゲ処理機本体２８がワイヤー式クラゲ処理機本体６２に変わっただけであるので説明は省略する。
【００３８】
図２４は、ワイヤーカッター捕獲二段処理システム８３であり、図１１のカッター式二段処理海洋廃棄型クラゲ処理機と同様の構造であり、低コスト化の為にカッター式に比べて少し処理能力が劣るが、相違点はカッター式クラゲ処理機本体２８と後続カッター式クラゲ処理機本体３８がワイヤー式クラゲ処理機本体６２と後続ワイヤー式クラゲ処理機本体６７に変わっただけであるので説明は省略するが、後続の処理能力を上げる為に、後続ワイヤー式クラゲ処理機本体６７の代わりに後続カッター式クラゲ処理機本体３８が接続可能である。
【００３９】
図２５は、ワイヤーカッター捕獲二段処理回収システム８４であり、図１２のカッター式二段処理回収型クラゲ処理機と同様の構造であり、低コスト化の為にカッター式に比べて少し処理能力が劣るが相違点はカッター式クラゲ処理機本体２８と後続カッター式クラゲ処理機本体３８がワイヤー式クラゲ処理機本体６２と後続ワイヤー式クラゲ処理機本体６７に変わっただけであるので説明は省略する。
【００４０】
図２６は、回収網３４を付けたクラゲカッター捕獲処理回収システム７８とクラゲカッター捕獲二段処理回収システム８０とワイヤーカッター捕獲処理回収システム８２、及びワイヤーカッター捕獲二段処理回収システム８４にてガイド網３５の開口部の上部前方左右にガイド網用ブイ７３を取付けて、海面上に浮かせる開口部の下部前方の左右にガイド網用オモリ７４を取付ける事により、海水面より一定の水深の深さまで回収網３４の開口を広げてクラゲを捕獲処理回収を行う方法であり、クラゲカッター捕獲二段処理回収システム８０及びワイヤーカッター捕獲二段処理回収システム８４も同様に、この方法でクラゲの捕獲処理回収が行えるのである。
【００４１】
図２７は、クラゲカッター捕獲処理回収システム７８とワイヤーカッター捕獲処理回収システム８２とクラゲカッター捕獲二段処理回収システム８０及びワイヤーカッター捕獲二段処理回収システム８４を任意の水深の深さに設定する為に、ガイド網３５の開口部の前方左右にあるガイド網用ブイ７３にガイド網水深設定用ワイヤーまたは、ロープ７５の接続を行いその長さ分をブイ取付ワイヤーまたは、ロープ３３に加算を行い任意の水深より一定の水深の深さまで開口を広げてクラゲを捕獲処理回収を行う方法であり、クラゲカッター捕獲二段処理回収システム８０及びワイヤーカッター捕獲二段処理回収システム８４も同様にこの方法でクラゲの捕獲処理回収が行えるのである。
【００４２】
図２８は、回収網３４を付けないクラゲカッター捕獲処理システム７７とワイヤーカッター捕獲処理システム８１にてガイド網３５を海水面より一定の水深の深さまで開口を広げてクラゲを捕獲処理及び、廃棄を行う方法であり、回収網３４を付けていないので曳航船３６に捕獲回収したクラゲを曳航するという大きな曳航負荷がかからない為に、曳航船の速度を上げる事が可能であり、その分捕獲処理機本体の曳航速度が上がり捕獲処理能力は著しく増大し、広大な海域のクラゲ捕獲処理が可能であり、クラゲカッター捕獲二段処理システム７９及びワイヤーカッター捕獲二段処理システム８３も同様に、この方法でクラゲの捕獲処理が行えるのである。
【００４３】
図２９は、クラゲカッター捕獲処理システム７７とワイヤーカッター捕獲処理システム８１を任意の水深の深さに設定する為に、ガイド網３５の開口部の前方左右にあるガイド網用ブイ７３にガイド網水深設定用ワイヤーまたは、ロープ７５の接続を行い、カッター式クラゲ処理機本体２８またはワイヤー式クラゲ処理機本体６２その長さ分をブイ取付ワイヤーまたは、ロープ３３に加算を行い任意の水深より一定の水深の深さまで開口を広げてクラゲを捕獲処理および廃棄を行う方法であり、回収網３４を付けていないので曳航船３６に捕獲回収したクラゲを曳航するという大きな曳航負荷がかからない為に、捕獲処理機本体の曳航速度が上がり、捕獲処理能力は著しく増大し広大な海域のクラゲ捕獲処理が可能であり、クラゲカッター捕獲二段処理システム７９及びワイヤーカッター捕獲二段処理システム８３も同様にこの方法でクラゲの捕獲処理が行えるのである。
【００４４】
図３０は、水深設定型ガイド回収網８５であって、ガイド網３５の開口部を大きく広げる為に、上下左右の四隅の上部の左右に処理機本体曳航用上下ワイヤーまたは、ロープ３４の処理機本体曳航用上ワイヤーまたは、ロープ７１を接続を行い、そしてその接続点にガイド網用ブイ７３を取付け、この下部下方の左右に処理機本体曳航用下ワイヤーまたは、ロープ７２を接続を行い、その接続点にガイド網用オモリ７４を取付けることによりガイド網３５は海水面７６より一定の水深まで開口を広げる事が可能であり、このガイド網３５の後部に回収網３７を接続して捕獲切断処理されたクラゲや未処理クラゲを回収する方法である。
【００４５】
図３１は、水深設定型ガイド回収網８５を任意の一定の水深まで設定可能とする為に、ガイド網３５の上部の左右の処理機本体曳航用上下ワイヤーまたは、ロープ３４と処理機本体曳航用上ワイヤーまたは、ロープ７１の接続点につけるガイド網用ブイ７３を任意の水深までの長さのガイド網水深設定用ワイヤーまたはロープ７５を接続したものである。
【００４６】
図３２は、水深設定型回収網８６であり、回収網３７の開口部を大きく広げる為に、上下左右の四隅の上部の左右に処理機本体曳航用上下ワイヤーまたは、ロープ３４の処理機本体曳航用上ワイヤーまたは、ロープ７１を接続を行い、そしてその接続点にガイド網用ブイ７３を取付け、この下部下方の左右に処理機本体曳航用下ワイヤーまたは、ロープ７２を接続を行い、その接続点にガイド網用オモリ７４を取付けることにより、回収網３７は海水面７６より一定の水深まで開口を広げる事が可能であり、捕獲切断処理されたクラゲや未処理クラゲを回収するシステムである。
【００４７】
図３３は、水深設定型回収網８６を任意の一定の水深まで設定可能とする為に、回収網３７の上部の左右の処理機本体曳航用上ワイヤーまたはロープ７１の接続点につけるガイド網用ブイ７３を任意の水深までの長さの回収網水深設定用ワイヤーまたはロープ８７を接続したものである。
【図面の簡単な説明】
【００４８】
【図１】は、バケット水車組立図である。
【図２】は、水車ハウジングＡである。
【図３】は、水車ハウジングＢである。
【図４】は、バケット水車ユニット上面図である。
【図５】は、バケット水車ユニット正面図である。
【図６】は、カッター式クラゲ処理機上面図である。
【図７】は、カッター式クラゲ処理機正面図である。
【図８】は、カッター式水深設定ブイ取付け正面図である。
【図９】は、クラゲカッター捕獲処理システムである。
【図１０】は、クラゲカッター捕獲処理回収システムである。
【図１１】は、クラゲカッター捕獲二段処理システムである。
【図１２】は、クラゲカッター捕獲二段処理回収システムである。
【図１３】は、ワイヤープーリー正面図である。
【図１４】は、ワイヤープーリー右側面図である。
【図１５】は、ワイヤー引張りボルト正面図である。
【図１６】は、ワイヤー引張りボルト右側面図である。
【図１７】は、始点ワイヤー取付図である。
【図１８】は、終点ワイヤー取付図である。
【図１９】は、ワイヤー式クラゲ処理機上面図である。
【図２０】は、ワイヤー式クラゲ処理機正面図である。
【図２１】は、ワイヤー式水深設定ブイ取付け正面図である。
【図２２】は、ワイヤーカッター捕獲処理システムである。
【図２３】は、ワイヤーカッター捕獲処理回収システムである。
【図２４】は、ワイヤーカッター捕獲二段処理システムである。
【図２５】は、ワイヤーカッター捕獲二段処理回収システムである。
【図２６】は、クラゲカッターおよびワイヤーカッター捕獲処理回収システムの水面設置図である。
【図２７】は、クラゲカッターおよびワイヤーカッター捕獲処理回収システムの任意水深設置図である。
【図２８】は、クラゲカッターおよびワイヤーカッター捕獲処理システムの水面設置図である。
【図２９】は、クラゲカッターおよびワイヤーカッター捕獲処理システムの任意水深設置図である。
【図３０】は、水深設定型ガイド網の水面設置図である。
【図３１】は、水深設定型ガイド網の任意水面設置図である。
【図３２】は、水深設定型回収網の水面設置図である。
【図３３】は、水深設定型回収網の任意水面設置図である。
【符号の説明】
【００４９】
１  バケット
２  バケットホルダー
３  水車アーム
４  水車ボス
５  バケット水車
６  水車ユニット取付穴
７  ケーシングＡ
８  ケーシングＢ
９  導水口
１０  排水口
１１  バケット水車ユニット
１２  出力シャフトセットネジ穴
１３  出力シャフトセット穴
１４  水車軸受
１５  カッター式クラゲ処理機フレーム
１６  サイドカバー
１７  横軸シャフト
１８  横カッター取付フランジ
１９  横軸カッター
２０  横軸シャフト軸受
２１  縦軸カッター
２２  曳航用金具
２３  ガイド網用金具
２４  後続曳航用金具
２５  後続ガイド網用金具
２６  本体吊り上げ用金具
２７  ブイ取付金具
２８  カッター式クラゲ処理機本体
２９  縦カッター取付フランジ
３０  上部縦軸軸受
３１  下部縦軸軸受
３２  ブイ
３３  ブイ取付ワイヤーまたはロープ
３４  処理機本体曳航用上下ワイヤーまたはロープ
３５  ガイド網
３６  曳航船
３７  回収網
３８  後続カッター式クラゲ処理機本体
３９  後続ブイ
４０  後続ガイド網
４１  後続曳航用ワイヤーまたはロープ
４２  縦軸シャフト
４３  カッター式金網天板
４４  カッター式金網側板
４５  カッター式金網底板
４６  後続カッター式金網天板
４７  後続カッター式金網側板
４８  後続カッター式金網底板
４９  ワイヤープーリー
５０  ワイヤープーリー取付穴
５１  ワイヤー引張りボルト
５２  引張りボルトワイヤー通し穴
５３  ワイヤー引張りボルトネジ部
５４  始点ブロック
５５  始点ブロックワイヤー通し穴
５６  ワイヤー接続金具オーバルスリーブ
５７  ワイヤー
５８  終点ブロック
５９  平ワッシャー
６０  スプリングワッシャー
６１  ナット
６２  ワイヤー式クラゲ処理機本体
６３  ワイヤー式クラゲ処理機本体フレーム
６４  ワイヤー式金網天板
６５  ワイヤー式金網側板
６６  ワイヤー式金網底板
６７  後続ワイヤー式クラゲ処理機本体
６８  後続ワイヤー式金網天板
６９  後続ワイヤー式金網側板
７０  後続ワイヤー式金網底板
７１  処理機本体曳航用上ワイヤーまたはロープ
７２  処理機本体曳航用下ワイヤーまたはロープ
７３  ガイド網用ブイ
７４  ガイド網用オモリ
７５  ガイド網水深設定用ワイヤーまたはロープ
７６  水面
７７  クラゲカッター捕獲処理システム
７８  クラゲカッター捕獲処理回収システム
７９  クラゲカッター捕獲二段処理システム
８０  クラゲカッター捕獲二段処理回収システム
８１  ワイヤーカッター捕獲処理システム
８２  ワイヤーカッター捕獲処理回収システム
８３  ワイヤーカッター捕獲二段処理システム
８４  ワイヤーカッター捕獲二段処理回収システム
８５  水深設定型ガイド網
８６  水深設定型回収網
８７  回収網水深設定用ワイヤーまたはロープ
【図１】
2009225664.tif 000003
【図２】
2009225664.tif 000004
【図３】
2009225664.tif 000005
【図４】
2009225664.tif 000006
【図５】
2009225664.tif 000007
【図６】
2009225664.tif 000008
【図７】
2009225664.tif 000009
【図８】
2009225664.tif 000010
【図９】
2009225664.tif 000011
【図１０】
2009225664.tif 000012
【図１１】
2009225664.tif 000013
【図１２】
2009225664.tif 000014
【図１３】
2009225664.tif 000015
【図１４】
2009225664.tif 000016
【図１５】
2009225664.tif 000017
【図１６】
2009225664.tif 000018
【図１７】
2009225664.tif 000019
【図１８】
2009225664.tif 000020
【図１９】
2009225664.tif 000021
【図２０】
2009225664.tif 000022
【図２１】
2009225664.tif 000023
【図２２】
2009225664.tif 000024
【図２３】
2009225664.tif 000025
【図２４】
2009225664.tif 000026
【図２５】
2009225664.tif 000027
【図２６】
2009225664.tif 000028
【図２７】
2009225664.tif 000029
【図２８】
2009225664.tif 000030
【図２９】
2009225664.tif 000031
【図３０】
2009225664.tif 000032
【図３１】
2009225664.tif 000033
【図３２】
2009225664.tif 000034
【図３３】
2009225664.tif 000035